(57)【要約】      （修正有）【課題】必要に応じて角度を調整でき、照明を必要とするところに照明をあてることの出来る、照明角度を調整できる屋外照明器具を提供する。【解決手段】照明角度を調整できる屋外照明器具であって、主として、外殻体と、ランプ台座と、ランプ類と、ランプカバーとを含む。外殻体には、収容口が開設され、収容口の中にランプ台座を入れることが出来、ランプ台座には収容槽があり、且つ収容槽内の両側にそれぞれ両軸穴が開設され、更にランプ類をランプ台座の収容槽の中に入れ、そしてランプ類の両側にはそれぞれ枢軸があり、両枢軸によってそれぞれランプ台座の両軸穴に枢接され、光を透過するランプカバーをランプ台座に被せることによって、ランプ類を完全に封鎖する。【選択図】図１Ａ
0003162608.tif 000002
【実用新案登録請求の範囲】
【請求項１】
照明角度を調整できる屋外照明器具であって、
外殻体と、ランプ台座と、ランプ類とを含み、
前記外殻体には、収容口が開設され、
前記ランプ台座内には収容槽を凹設し、且つ収容槽内の両側に位置決め部を開設し、更にランプ台座の下端両側にそれぞれ保持部を設けてあり、前記ランプ台座は、外殻体の収容口に入れられ、ランプ台座の保持部によって収容口に架設され、
前記ランプ類の任意の箇所に少なくとも一個以上の放熱孔を開設し、且つランプ類の両側にそれぞれ回転部を開設し、前記回転部はランプ台座の位置決め部と対応設置され、又ランプ類の下端に基板を設け、且つ基板の下側に少なくとも一個以上の発光体を敷設してあり、前記ランプ類は、ランプ台座の収容槽の中に収容され、且つランプ類の両回転部によってランプ台座の両位置決め部に枢接されていることを特徴とする、照明角度を調整できる屋外照明器具。
【請求項２】
照明角度を調整できる屋外照明器具であって、
外殻体と、ランプ台座と、ランプ類とを含み、
前記外殻体には、収容口が開設され、
前記ランプ台座の下端には内へ向かって収容槽を凹設し、且つ収容槽両側の槽口にそれぞれ嵌め溝を凹設し、更に収容槽内の両側にそれぞれ軸穴を貫通開設し、且つ軸穴に少なくとも一個以上の凹部を環状に凹設し、更にランプ台座の下端両側にそれぞれ保持部を設けてあり、前記ランプ台座は、外殻体の収容口に入れられ、ランプ台座の保持部によって収容口に架設され、
前記ランプ類の任意の箇所に少なくとも一個以上の放熱孔を開設し、且つランプ類の両側にそれぞれ回転軸を開設し、前記回転軸はランプ台座の軸穴と対応設置され、そして回転軸の上に少なくとも一個以上のフランジ部を環状に設置し、又ランプ類の下端に基板を設け、且つ基板の下側に少なくとも一個以上の発光体を敷設し、更にランプ類の内部に放熱モジュールを設置し、前記放熱モジュールは、基板の上側に設置され、前記ランプ類は、ランプ台座の収容槽の中に収容され、且つランプ類の両回転軸によってランプ台座の両軸穴に枢接されていることを特徴とする、照明角度を調整できる屋外照明器具。
【請求項３】
前記ランプ類内部基板上側に放熱モジュールを設置し、ランプ類の発光体から生じる高温を低減することが出来ることを特徴とする、請求項１又は請求項２に記載の照明角度を調整できる屋外照明器具。
【請求項４】
前記ランプ台座の下端にランプカバーを結合することによって、ランプ類を、ランプ台座及びランプカバーの間に封じ込めることを特徴とする、請求項１又は請求項２に記載の照明角度を調整できる屋外照明器具。
【考案の詳細な説明】
【技術分野】
【０００１】
本考案は、照明角度を調整できる屋外照明器具、特に、照明方向の需要に応じて所要の照明角度を調整出来る方式に関するものである。
【背景技術】
【０００２】
夕方になって夜色が次第に暗くなってくると、街道の街灯或いは生活環境中の照明器具が点灯し、照明器具の照明によって、夜間生活の安心を守り、犯罪を抑止し、住民の夜間走行の安全を強化することが出来る。そのため、照明器具が人々にもたらす便利さには疑問の余地がない。
【０００３】
照明器具は街道や生活環境の周囲を明るく照らすことができる。しかし、街道や生活環境には必ず照明器具が照らしきれない暗いところがあり、又、街道の街灯及び屋外照明器具の角度はみな固定であり、そのため、暗いところを照らすことが出来ず、走行上の安全性及び住まいの安心に対しても問題があり、若し街灯或いはその他の照明器具をさらに追加しようとすれば、購入や据付の費用もかなり高く付く。
【０００４】
これによって分かるように、上述の従来の方式には、尚幾多の欠点があり、よい設計とは言いがたく、改良が待たれていた。
【０００５】
本考案者は、上述従来方式に派生する各項の欠点に鑑み、極力新規改善を試み、且つ長年苦心研鑽の末、ついに本考案の照明角度を調整できる屋外照明器具の研究開発に成功した。
【考案の概要】
【考案が解決しようとする課題】
【０００６】
本考案の目的は、必要に応じて角度を調整でき、照明を必要とするところに照明をあてることの出来る照明器具を提供することにある。
【０００７】
本考案のもう一つの目的は、照明角度を調整出来る特性を提供して、夜間の比較的暗いところに照明をあて、通行人の夜間走行の安全性を高め、生活を保護し、犯罪を抑止するなどの効能がある照明器具を提供することにある。
【課題を解決するための手段】
【０００８】
上述考案の目的を達成できる照明角度を調整できる屋外照明器具は、主として、外殻体と、ランプ台座と、ランプ類及びランプカバーなどの構成部品によって構成される。前記外殻体の上に収容口を開設し、前記収容口にはランプ台座を入れることが出来、そしてランプ台座の上に収容槽が凹設され、前記収容槽の両側にそれぞれ軸穴を開設し、更に数個の発光体を有するランプ類をランプ台座の収容槽内に入れ、前記ランプ類の両側にそれぞれ枢軸があるため、両枢軸によってランプ台座の両軸穴にそれぞれ枢接されることによって、前記ランプ類はランプ台座の中で回転でき、発光体の照明角度を調整できる。光を通すランプカバーをランプ類の上に被せ、ランプ類を完全に封鎖する。上述各構成部品の構成によって、本件の照明角度を調整できる屋外照明器具を形成し、ユーザーはランプ類の照明角度を変更し、照明器具の照明角度に一層多くの変化をもたらすことが出来る。
【考案の効果】
【０００９】
本考案に係る照明角度を調整できる屋外照明器具は、その他従来の技術に比べ、更に下記のような長所がある。
１．本考案は、照明の需要に応じて街灯照明の角度を調整し、照明を必要とする場所に照明をあてることが出来る。
２．本考案は、構造が簡単で、操作が易しく、強度が十分で、コストが安い、照明角度を調整できる屋外照明器具を提供する。
【図面の簡単な説明】
【００１０】
【図１Ａ】本考案に係る照明角度を調整できる屋外照明器具の斜視分解図である。
【図１Ｂ】本考案に係る照明角度を調整できる屋外照明器具の斜視局部結合図である。
【図１Ｃ】本考案に係る照明角度を調整できる屋外照明器具の斜視結合図である
【図２】前記照明角度を調整できる屋外照明器具照明部の断面略図である。
【図３Ａ】前記照明角度を調整できる屋外照明器具の実施例略図である。
【図３Ｂ】前記照明角度を調整できる屋外照明器具の実施例略図である。
【図３Ｃ】前記照明角度を調整できる屋外照明器具の実施例略図である。
【考案を実施するための形態】
【００１１】
図１Ａ乃至１Ｃ、及び図２は、本考案照明角度を調整できる屋外照明器具の説明図である。主として、外殻体１と、ランプ台座２と、ランプ類３と、ランプカバー４と、を含み、前記外殻体１には、収容口１１が開設される。前記ランプ台座２の下端には内へ向かって収容槽２１を凹設し、且つ収容槽２１両側の槽口にそれぞれ嵌め溝２１１を凹設し、更に収容槽２１内の両側にそれぞれ軸穴２２を貫通開設し、且つ軸穴２２に少なくとも一個以上の凹部２２１を環状に凹設し、更にランプ台座２の下端両側にそれぞれ保持部２３を設けてある。前記ランプ台座２は、外殻体１の収容口１１に入れられ、ランプ台座の保持部２３によって収容口１１に架設されている。
【００１２】
前記ランプ類３の任意の箇所に少なくとも一個以上の放熱孔３１を開設し、且つランプ類３の両側にそれぞれ回転軸３２を開設し、前記回転軸３２はランプ台座２の軸穴２２と対応設置され、そして回転軸３２の上に少なくとも一個以上のフランジ部３２１を環状に設置し、又ランプ類３の下端に基板３３を設け、且つ基板３３の下側に少なくとも一個以上の発光体３４を敷設し、更にランプ類３の内部に放熱モジュール３５を設置し、前記放熱モジュール３５は、基板３３の上側に設置され、又、ランプ類３内の適当な箇所に電源サプライヤー３６を設置することによって、発光体３４へ電源を供給し、発光体３４を光源となす。前記ランプ類３は、ランプ台座２の収容槽の中に収容され、且つランプ類３の両回転軸３２によってランプ台座２の両軸穴２２に枢接されている。前記放熱モジュール３５は、放熱鰭片３５１及び放熱ファン３５２によって組成され、前記発光体はＬＥＤ或いはＯＬＥＤでもよい。
【００１３】
前記ランプカバー４の両側下端にはそれぞれ張り出し板４１が延伸され、前記張り出し板４１はランプ台座２の凹口２２と対応設置されている。前記ランプカバー４は、ランプ台座２の下端に被せられ、且つランプカバー４の両張り出し板４１は、それぞれランプ台座２の両凹口２２に嵌設されている。
【００１４】
上述各構成部品の組成によって、本件照明角度を調整できる屋外照明器具を形成できる。
【００１５】
図３Ａ乃至３Ｃは、前記照明角度を調整できる屋外照明器具の実施略図であり、ランプ台座２の軸穴２４とランプ類回転軸３２の相互枢接方式によって、且つそれぞれ軸穴２４の凹部２４１及び回転軸３２上のフランジ部が相互に嵌合することによって、ランプ類３の角度及びランプ類３を一時的に位置決めする位置を調整し、異なる照明の需要に応じてランプ類３の照明角度を変更でき、更に放熱モジュール３５をランプ類３の中に設置することによって、ランプ類３の発光体から生じる高温を速やかに下げ、ランプ類３発光体３１の温度が高すぎるために損傷することを避けることが出来る。
【００１６】
上述ランプ台座２の軸穴２４及びランプ類３の回転軸３２は、入れ替え設置してもよく、同じようにランプ類３の角度の調整及び一時的に位置決めする目的を達成できる。
【００１７】
上記詳細な説明は、本考案実施例の具体的説明である、但し該実施例は本考案登録請求の範囲を制限するものではなく、凡そ本考案の技芸精神を逸脱せずになされる等価実施或いは変更は、全て本考案登録請求の範囲に含まれるものとする。
【００１８】
以上述べたことを総合すると、本案は技術思想上確かに創造的であるのみならず、従来の物品に比べ、上述多項目の効能を増進して、既に新規性及び進歩性の法定の登録要件に十分符合しており、ここに法に則って申請する次第である。
【符号の説明】
【００１９】
１      外殻体
１１    収容口
２      ランプ台座
２１    収容槽
２１１  嵌め溝
２２    軸穴
２２１  凹部
２３    保持部
３      ランプ類
３１    放熱孔
３２    回転軸
３２１  フランジ部
３３    基板
３４    発光体
３５    放熱モジュール
３５１  放熱鰭片
３５２  放熱ファン
４      ランプカバー
４１    張り出し板
【図１Ａ】
0003162608.tif 000003
【図１Ｂ】
0003162608.tif 000004
【図１Ｃ】
0003162608.tif 000005
【図２】
0003162608.tif 000006
【図３Ａ】
0003162608.tif 000007
【図３Ｂ】
0003162608.tif 000008
【図３Ｃ】
0003162608.tif 000009